(57)【要約】【課題】安全に点検または部品交換できる電子部品格納用ケースの提供。【解決手段】係合プレート２７が形成されている筐体２と、使用位置と開放位置との間に回動して切り替えることができるように筐体２に枢接されている部品保持座４と、部品保持座４に可動的に取り付けられていると共に、部品保持座４が開放位置に位置する際に筐体２に形成されている係合プレート２７と係合することができる係合部を有するように構成されている係合手段５と、を備えるように構成されていることを特徴とする電子部品格納用ケースを提供する。【選択図】図３
0003202123.tif 000002
【実用新案登録請求の範囲】
【請求項１】
係合プレートが形成されている筐体と、
使用位置と開放位置との間に回動して位置を切り替えることができるように前記筐体に枢接されている部品保持座と、
前記部品保持座に可動的に取り付けられていると共に、前記部品保持座が前記開放位置に位置する際に前記筐体に形成されている係合プレートと係合することができる係合部を有するように構成されている係合手段と、
を備えるように構成されている、
ことを特徴とする、電子部品格納用ケース。
【請求項２】
前記係合手段は、係合本体と付勢部とを有するように構成されており、
前記係合本体は、前記部品保持座に回動可能に枢接されている回動軸と、前記回動軸から一側に延伸し、前記係合部が形成されている係合アームと、前記回動軸から前記係合アームの反対側に延伸する操作アームと、を有するように形成されており、
前記付勢部は、前記部品保持座が前記開放位置に位置する際に、前記係合アームに対して前記係合部が前記筐体に係合する付勢力を与えるように構成されている、
ことを特徴とする、請求項１に記載の電子部品格納用ケース。
【請求項３】
前記係合プレートには、互いに所定の距離を空けて所定の方向に向かって突出する第１の係止部と第２の係止部と、前記第１の係止部及び前記第２の係止部の間に形成されている係止凹部と、が設けられており、
前記係合アームの前記係合部は、前記係合プレートに形成された前記第１の係止部と前記第２の係止部との間にある前記係止凹部に嵌まり込むことによって、前記部品保持座の前記開放位置から前記使用位置への回動を係止するように構成されている、
ことを特徴とする、請求項２に記載の電子部品格納用ケース。
【請求項４】
前記係合プレートには、前記第１の係止部及び前記第２の係止部の突出方向と直交するように、前記係止凹部から突起する係合タブが更に形成されており、
前記係合アームの先端には、フック部が形成されており、
前記部品保持座が前記開放位置に位置する際に、前記係合アームの前記係合部が前記係止凹部に嵌まり込むと共に、前記係合アームの先端に形成されている前記フック部が、前記係合タブの先端に係合できるように配置構成されている、
ことを特徴とする、請求項３に記載の電子部品格納用ケース。
【請求項５】
前記部品保持座は、その一側に形成されている側壁と、前記側壁から前記側壁と直交するように張り出す当接板と、を有しており、
前記係合手段は、前記付勢部の一端が前記当接板に当接できるように、前記当接板の隣に取付けられている、
ことを特徴とする、請求項２〜請求項４のいずれか一項に記載の電子部品格納用ケース。
【請求項６】
前記部品保持座の前記側壁には、前記側壁と直交し且つ前記当接板と間を空けて配置されている接続板と、前記係合本体の前記回動軸の一端を受け入れることができると共に前記接続板側から前記当接板側へ延伸するように開けられている第１の設置孔と、が形成されており、
前記接続板の前記側壁から離れた先端には、前記接続板と直交し且つ前記当接板側へ延伸する設置板が更に形成されており、
前記設置板には、前記当接板側に向かって開口する収容凹部が形成されており、
前記係合手段は、前記回動軸の両端がそれぞれ回動自在に前記第１の設置孔と前記収容凹部に嵌め込まれているように配置構成されている、
ことを特徴とする、請求項５に記載の電子部品格納用ケース。
【請求項７】
前記部品保持座の前記側壁には、前記回動軸の一端を受け入れることができると共に前記当接板側から前記係合手段側へ延伸するように開けられている第１の設置孔が形成されており、
前記当接板の先端には、前記当接板と直交し且つ前記当接板から前記係合手段側へ延伸する設置板が更に形成されており、
前記設置板には、前記第１の設置孔と平行に延伸する第２の設置孔が開けられており、
前記係合手段は、前記回動軸の両端がそれぞれ摺動自在に前記第１の設置孔と前記第２の設置孔に嵌め込まれているように配置構成されている、
ことを特徴とする、請求項５に記載の電子部品格納用ケース。
【請求項８】
前記係合アームには、前記部品保持座が前記使用位置に位置する際に、前記第１の係止部の前記部品保持座に向かう端縁に接触し、前記部品保持座が前記使用位置から前記開放位置へ回動すると、前記係合部を前記第１の係止部と前記第２の係止部との間に案内できるように形成されている、案内斜面を有する案内突起が形成されており、
前記係合タブには、前記係合部が前記係止凹部に嵌め込まれる際に前記案内突起を収容できる収容孔が開けられている、
ことを特徴とする、請求項４に記載の電子部品格納用ケース。
【請求項９】
前記付勢部は、弾性材料により作成され、前記回動軸から当接板に当接するまで前記当接板及び前記操作アーム側へ斜めに延伸して形成されている、第１の弾性プレートと、弾性材料により作成され、前記回動軸から前記当接板に当接するまで前記当接板及び前記係合アーム側へ斜めに延伸して形成されている、第２の弾性プレートと、を有するように構成されている、
ことを特徴とする、請求項５〜請求項８のいずれか一項に記載の電子部品格納用ケース。
【請求項１０】
前記付勢部は、弾性材料により作成され、両端がそれぞれ前記操作アームと前記係合アームとに接続されていると共に、円弧状に形成されて前記円弧状の部分が当接板に当接することができる円弧状弾性ユニットを有するように構成されている、
ことを特徴とする、請求項５〜請求項８のいずれか一項に記載の電子部品格納用ケース。
【請求項１１】
前記付勢部は、前記係合本体と一体に成形されている、ことを特徴とする、請求項２〜請求項１０のいずれか一項に記載の電子部品格納用ケース。
【請求項１２】
前記付勢部は、一端が前記係合アームに固定され、他端が当接板に当接するように前記回動軸に環装されているねじりばねである、ことを特徴とする、請求項５〜請求項８のいずれか一項に記載の電子部品格納用ケース。
【請求項１３】
前記付勢部は、一端が前記係合本体に設置され、他端が当接板に当接するように設置されている圧縮コイルばねである、ことを特徴とする、請求項５〜請求項８のいずれか一項に記載の電子部品格納用ケース。
【考案の詳細な説明】
【技術分野】
【０００１】
本考案は電子部品格納用ケースに関し、特に、点検または部品の交換をより安全に行うことができる電子部品格納用ケースに関する。
【背景技術】
【０００２】
一般の電気製品は、各種の電子部品により構成されているので、そのような電気製品に用いる電子部品格納用ケースは、電子部品を格納する機能以外、電子部品の取付け及び点検の利便性を兼備するように構成されている。
【０００３】
例えば、一般のデスクトップパソコンに使用されるコンピューターケースには、マザーボードが取り付けられている筐体に、光ディスクドライブなどの大きい電子部品を保持できる部品保持手段が、マザーボードの上方の位置で使用位置と開放位置との間に回動できるように取り付けられたものがある。
【０００４】
マザーボードを点検または部品交換する際に、光ディスクドライブなどの大きい電子部品を保持する部品保持手段が邪魔にならないよう、使用位置から開放位置に回動して、マザーボードを露出させてから、点検または部品交換を行う。また、部品保持手段が保持している大きい電子部品を交換する際にも、該部品保持手段を使用位置から開放位置に回動することにより、マザーボードに取り付けられている電子部品に干渉されずに、より容易に部品の交換を行うことができる。
【０００５】
しかし、このように構成されるコンピューターケースを使用する際、部品保持手段を開放位置に回動した後それを安定に保持する手段が存在しないので、使用者が点検または部品交換する最中に、使用者の操作の不注意により、部品保持手段が重力によって不意に使用位置に戻って、部品を損害するまたは使用者に怪我させる恐れがある。
【考案の概要】
【考案が解決しようとする課題】
【０００６】
上記問題点に鑑みて、本考案は、従来の電子部品格納用ケースより安全に点検または部品交換できる電子部品格納用ケースの提供を目的とする。
【課題を解決するための手段】
【０００７】
上記目的を達成すべく、本考案は、係合プレートが形成されている筐体と、使用位置と開放位置との間に回動して切り替えることができるように筐体に枢接されている部品保持座と、部品保持座に可動的に取り付けられていると共に、部品保持座が開放位置に位置する際に筐体に形成されている係合プレートと係合することができる係合部を有するように構成されている係合手段と、を備えるように構成されていることを特徴とする電子部品格納用ケースを提供する。
【考案の効果】
【０００８】
上記構成により、本考案は、部品保持座が開放位置に位置する際に、筐体に形成されている係合プレートと係合することができる係合手段が部品保持座に取り付けられているので、部品保持座が開放位置から使用位置に戻らないように開放位置に係留できる。
【図面の簡単な説明】
【０００９】
【図１】本考案の電子部品格納用ケースの第１の実施形態の斜視図である。
【図２】上記の電子部品格納用ケースの第１の実施形態の部品分解図である。
【図３】上記の電子部品格納用ケースの第１の実施形態の部分部品分解図である。
【図４】上記の電子部品格納用ケースの第１の実施形態の係合手段の斜視図である。
【図５】上記の電子部品格納用ケースの第１の実施形態において、部品保持座が使用位置にあることを示す部分側面図である。
【図６】上記の電子部品格納用ケースの第１の実施形態において、部品保持座を回動する際の、案内突起と第１の係止部との位置関係を示す部分断面図である。
【図７】上記の電子部品格納用ケースの第１の実施形態において、係合手段の操作を示す部分側面図である。
【図８】上記の電子部品格納用ケースの第１の実施形態において、部品保持座が開放位置にあることを示す部分正面図である。
【図９】上記の電子部品格納用ケースの第１の実施形態において、部品保持座が使用位置にある際に、係合手段が係合プレートと係合することを示す部分斜視図である。
【図１０】上記の電子部品格納用ケースの第１の実施形態において、部品保持座が使用位置にある際に、係合手段が係合プレートと係合することを示す、図９におけるＸ−Ｘ線に沿った部分断面図である。
【図１１】上記の電子部品格納用ケースの第１の実施形態において、係合手段の係合プレートとの係合を解除する時の係合手段の操作を示す、図９におけるＸ−Ｘ線に沿った部分断面図である。
【図１２】本考案の電子部品格納用ケースの第２の実施形態の係合手段を示す、図１０と同じ場所で断面を取った部分断面図である。
【図１３】上記の電子部品格納用ケースの第２の実施形態において、係合手段の係合プレートとの係合を解除する時の係合手段の操作を示す、図１０と同じ場所で断面を取った部分断面図である。
【図１４】本考案の電子部品格納用ケースの第３の実施形態の係合手段を示す、図１０と同じ場所で断面を取った部分断面図である。
【図１５】上記の電子部品格納用ケースの第３の実施形態において、係合手段の係合プレートとの係合を解除する時の係合手段の操作を示す、図１０と同じ場所で断面を取った部分断面図である。
【図１６】本考案の電子部品格納用ケースの第４の実施形態の部分部品分解図である。
【図１７】上記の電子部品格納用ケースの第４の実施形態の係合手段を示す、図１０と同じ場所で断面を取った部分断面図である。
【図１８】上記の電子部品格納用ケースの第４の実施形態において、係合手段の係合プレートとの係合を解除する時の係合手段の操作を示す、図１０と同じ場所で断面を取った部分断面図である。
【図１９】本考案の電子部品格納用ケースの第５の実施形態の部分部品分解図である。
【図２０】上記の電子部品格納用ケースの第５の実施形態の係合手段を示す、図１０と同じ場所で断面を取った部分断面図である。
【図２１】上記の電子部品格納用ケースの第５の実施形態において、係合手段が係合プレートと係合している時の係合手段の操作を示す、図１０と同じ場所で断面を取った部分断面図である。
【考案を実施するための形態】
【００１０】
以下では各図面を参照しながら、本考案の各実施形態について詳しく説明する。
【００１１】
（第１の実施形態）
図１は本考案の電子部品格納用ケースの第１の実施形態の斜視図であり、図２は上記の電子部品格納用ケースの第１の実施形態の部品分解図であり、図３は上記の電子部品格納用ケースの第１の実施形態の部分部品分解図であり、図８は上記の電子部品格納用ケースの第１の実施形態において、部品保持座が開放位置にあることを示す部分正面図である。
【００１２】
本考案の第１の実施形態の電子部品格納用ケースは、図１に示されるように、筐体２と、電子部品１を保持できるように構成され、図１に示されている使用位置と図８に示されている開放位置との間に回動して切り替えることができるように筐体２に枢接されている部品保持座４と、部品保持座４に可動的に取り付けられている係合手段５と、により構成されている。
【００１３】
筐体２は、図１及び図２に示されるように、長方四辺形の底板部２１と、底板部２１の四辺からそれぞれ、底板部２１と略直交するように上方に延伸して形成されている前板部２２、右板部２３、左板部２４及び後板部２５と、を有し、底板部２１と前板部２２と右板部２３と左板部２４と後板部２５で部品保持座４及び他の電子部品を収容できる設置空間を画成するように構成されている。
【００１４】
この実施形態において、部品保持座４は前板部２２と右板部２３とに取付けられており、前板部２２の右板部２３と隣接する部分に、部品保持座４を受入れることができる切込み２２０が形成され、更に、切込み２２０の右板部２３と隣接する箇所の上端縁には、上方に突起して部品保持座４の前端部と枢接できる前枢設孔２８１が開けられた板状の第１の前枢設部２８が配置されている。また、底板部２１の右板部２３に隣接する部分には、該部分から上方に第１の前枢設部２８と同じ高さまで突起し、第１の前枢設部２８に形成された前枢設孔２８１と向き合う後枢設孔２６１が開けられて部品保持座４の後端部と枢接できるように形成されている第１の後枢設部２６が配置されている。更に、第１の前枢設部２８の右側の端縁には、該第１の前枢設部２８と略直交するように且つ右板部２３と略平行するように延伸する係合プレート２７が形成されている。
【００１５】
図３に示されるように、係合プレート２７には、第１の前枢設部２８の右側の端縁から第１の前枢設部２８と略直交するように延伸すると共に、略長方四辺形に形成されているベース板部２７１と、ベース板部２７１の後端縁から互いに所定の距離を空けてそれぞれ所定の方向（図中の後方側）に向かって突出する第１の係止部２７２と第２の係止部２７３と、第１の係止部２７２及び第２の係止部２７３の間で後方に向かって開口する係止凹部２７５と、係止凹部２７５から筐体２の左側へ突起する係合タブ２７７と、を有するように形成されている。更に、第１の係止部２７２には、筐体２の左側（部品保持座４側）へ突出するサポートリブ２７２１が形成されている。
【００１６】
部品保持座４は、図２に示されるように、底壁４１と、それぞれ底壁４１の左右両側から、底壁４１と略直交するように上方に延伸して形成されている右側壁４２及び左側壁４３と、右側壁４２及び左側壁４３の上端縁を連接するように形成されている頂壁４４と、により、例えば光ディスクドライブなどの大きい電子部品を保持できる枠状に構成されている。
【００１７】
部品保持座４の右側壁４２は、図３に示されるように、前後方向に延伸するように形成されている壁本体４２１と、壁本体４２１の前端縁の下側から壁本体４２１と略直交するように突起すると共に、筐体２の前枢設孔２８１に対応して該前枢設孔２８１に嵌め込んで枢接できる前枢設突起４２４を有するように形成されている第２の前枢設部４２２と、壁本体４２１の前端縁の上側から壁本体４２１と略直交するように張り出す当接板４２６と、壁本体４２１の後端縁から壁本体４２１と略直交するように延伸すると共に、筐体２の後枢設孔２６１に対応して該後枢設孔２６１に嵌め込んで枢接できる後枢設突起４２５を有するように形成されている第２の後枢設部４２３と、壁本体４２１と略直交し且つ当接板４２６と間を空けて配置されている接続板４２７と、を有する。
【００１８】
また、壁本体４２１には、係合手段５の回動軸５１１（後述）の一端を受け入れることができると共に接続板４２７側から当接板４２６側へ延伸する第１の設置孔４２９が開けられ、接続板４２７の右側壁４２から離れた先端には、接続板４２７と略直交し且つ当接板４２６側へ延伸する設置板４２８が設けられ、設置板４２８には、当接板４２６側に向かって開口する収容凹部４３０が形成されている。
【００１９】
図４は上記の電子部品格納用ケースの第１の実施形態の係合手段５の斜視図であり、図６は上記の電子部品格納用ケースの第１の実施形態において、部品保持座４を回動する際に、案内突起５１７と第１の係止部２７２との位置関係を示す部分断面図であり、図９は上記の電子部品格納用ケースの第１の実施形態において、部品保持座４が使用位置にある際に、係合手段５が係合プレート２７と係合することを示す部分斜視図であり、図１０は上記の電子部品格納用ケースの第１の実施形態において、部品保持座４が使用位置にある際に、係合手段５が係合プレート２７と係合することを示す部分断面図である。
【００２０】
係合手段５は、図３、図４及び図９に示されるように、部品保持座４が開放位置に位置する際に、筐体２の係合プレート２７が有する係止凹部２７５と係合することができ、係合本体５１と付勢部５２とを有するように構成されている。
【００２１】
係合本体５１は、図４に示されるように、部品保持座４の壁本体４２１に開けられている第１の設置孔４２９及び設置板４２８に形成されている収容凹部４３０に回動可能に枢接されている回動軸５１１と、回動軸５１１から一側（図中の下側）に延伸して形成されている係合アーム５１４と、回動軸５１１から係合アーム５１４の反対側（図中の上側）に延伸する操作アーム５１３と、を有するように形成されている。
【００２２】
係合アーム５１４は、図４及び図９に示されるように、係合プレート２７に形成された第１の係止部２７２と第２の係止部２７３との間にある係止凹部２７５に嵌まり込むことによって、部品保持座４の開放位置から使用位置への回動を係止するように構成されている係合部５１５と、その先端に、部品保持座４が開放位置に位置する際に、図４及び図１０に示されるように、係合アーム５１４が係止凹部２７５に嵌まり込んだ際に、係合タブ２７７の先端に係合できるように形成されているフック部５１６と、部品保持座４が使用位置に位置する際に、第１の係止部２７２のサポートリブ２７２１の部品保持座４に向かう端縁に接触し、図６に示されるように、部品保持座４が使用位置から開放位置へ回動すると、係合部５１５を第１の係止部２７２と第２の係止部２７３との間に案内できるように形成されている、案内斜面５１８を有する案内突起５１７と、を有するように形成されている。
【００２３】
そして、係合タブ２７７には、図３に示されるように、係合アーム５１４が係止凹部２７５に嵌め込まれる際に、案内突起５１７を収容できる収容孔２７４が開けられている。
【００２４】
更に、係合手段５は、回動軸５１１の収容凹部４３０に嵌め込まれている側の端部に、回動軸５１１が収容凹部４３０に嵌め込まれている際に、係合手段５が回動軸５１１の軸方向に沿って移動しないように、設置板４２８に外側から当接するように形成されている制限部５１２を有している。
【００２５】
係合手段５の付勢部５２は、部品保持座４が開放位置に位置する際に、係合アーム５１４に対して係合部５１５が筐体２の係合プレート２７に係合する付勢力を与えるように構成されている。この実施形態では、図４に示されるように、付勢部５２は、係合本体５１と一体に弾性材料により作成され、回動軸５１１から当接板４２６に当接するまで当接板４２６及び操作アーム５１３側へ斜めに延伸して形成されている第１の弾性プレート５２１と、係合本体５１と一体に弾性材料により作成され、回動軸５１１から当接板４２６に当接するまで当接板４２６及び係合アーム５１４側へ斜めに延伸して形成されている第２の弾性プレート５２２と、により構成されている。
【００２６】
図５は上記の電子部品格納用ケースの第１の実施形態において、部品保持座４が使用位置にあることを示す部分側面図であり、図７は上記の電子部品格納用ケースの第１の実施形態において、係合手段５の操作を示す部分側面図であり、図１１は上記の電子部品格納用ケースの第１の実施形態において、係合手段５の係合プレート２７との係合を解除する時の係合手段５の操作を示す部分断面図である。
【００２７】
上記の構成により、部品保持座４は、その前枢設突起４２４及び後枢設突起４２５をそれぞれ前枢設孔２８１及び後枢設孔２６１に挿入して筐体２に枢設することにより、図１に示されている使用位置と図８に示されている開放位置との間に回動して切り替えることができる。
【００２８】
係合手段５は、図５及び図７に示されるように、回動軸５１１を軸心として、操作アーム５１３が当接板４２６に近付くように回動すると、係合アーム５１４が第１の係止部２７２を越えるように後方へ回動できるように、回動軸５１１の両端がそれぞれ回動自在に第１の設置孔４２９と収容凹部４３０に嵌め込まれて、部品保持座４に取り付けられている。
【００２９】
部品保持座４が使用位置に位置する場合には、図５に示されるように、係合手段５の係合アーム５１４のフック部５１６が、第１の弾性プレート５２１及び第２の弾性プレート５２２の付勢により、筐体２の係合プレート２７の係合タブ２７７に当接され、また、係合アーム５１４に形成されている案内突起５１７の案内斜面５１８が、第１の係止部２７２の部品保持座４に向かうサポートリブ２７２１の端縁に接触している。
【００３０】
そして、部品保持座４を使用位置から開放位置へ切り替えようとする時には、直接に部品保持座４を持って、開放位置へ回動することができる。そうすると、図６に示されるように、案内斜面５１８が第１の係止部２７２に当接しながら回動するので、係合アーム５１４が案内斜面５１８の傾きに応じて第１の係止部２７２を越えるように後方に回動され、部品保持座４が開放位置に来ると共に、係合部５１５が第１の係止部２７２と第２の係止部２７３との間に案内されて係止凹部２７５に嵌まり込む。
【００３１】
または、第１の弾性プレート５２１を付勢させるように操作アーム５１３を当接板４２６へ押圧して、係合アーム５１４が第１の係止部２７２を越えるように後方に回動されてから、その状態のままで部品保持座４を回動して、部品保持座４を開放位置に来させる。部品保持座４が開放位置に位置した後、操作アーム５１３に対する押圧を解除すると、第１の弾性プレート５２１の付勢力により、係合部５１５が係止凹部２７５に嵌まり込む。
【００３２】
部品保持座４が開放位置に位置する場合には、図９及び図１０に示されるように、第１の弾性プレート５２１及び第２の弾性プレート５２２の付勢により、係合手段５の係合部５１５が係止凹部２７５に嵌まり込み、係合アーム５１４のフック部５１６が筐体２の係合プレート２７の係合タブ２７７の前端に係合され、且つ、係合アーム５１４に形成されている案内突起５１７が、係合タブ２７７に開けられている収容孔２７４に収容されている。係合手段５の係合部５１５が係止凹部２７５に嵌まり込むことによって、部品保持座４の開放位置から使用位置への回動を係止できる。また、フック部５１６が係合タブ２７７の前端に係合され、且つ、案内突起５１７が収容孔２７４に収容されていることによって、部品保持座４を開放位置に係留し、部品保持手段４が重力によって不意に使用位置に戻って、部品を損害するまたは使用者を怪我させる恐れがなくなる。
【００３３】
従って、本考案の電子部品格納用ケースは、部品保持座４を開放位置に安定に固定できるので、従来の電子部品格納用ケースより安全に点検また部品交換できる効果がある。
【００３４】
なお、係合手段５を部品保持座４に取り付ける方法は簡単なので、使用者は簡単に係合手段５を取り外して交換することができる。また、係合手段５は、射出成形などの成形方法で製造できるので、簡単に製造できる。
【００３５】
また、部品保持座４を開放位置から使用位置へ切り替えようとする時には、図１１に示されるように、第１の弾性プレート５２１を付勢させるように操作アーム５１３を当接板４２６へ押圧して、係合アーム５１４が第１の係止部２７２を越えるように後方に回動されるようにして係合手段５の係合プレート２７との係合を解除してから、その状態のままに部品保持座４を回動すれば、部品保持座４を使用位置に戻すことができる。部品保持座４が使用位置に位置した後、操作アーム５１３に対する押圧を解除すると、第１の弾性プレート５２１の付勢力により、係合アーム５１４が再び筐体２の係合プレート２７の係合タブ２７７に当接され、また、係合アーム５１４に形成されている案内突起５１７の案内斜面５１８が、第１の係止部２７２の部品保持座４に向かう端縁に接触するようになる。
【００３６】
（第２の実施形態）
図１２は本考案の電子部品格納用ケースの第２の実施形態の係合手段５を示す部分断面図であり、図１３は上記の電子部品格納用ケースの第２の実施形態において、係合手段５の係合プレート２７との係合を解除する時の係合手段５の操作を示す部分断面図である。
【００３７】
本考案の第２の実施形態の電子部品格納用ケースは、図１２に示されるように、係合手段５の付勢部５２は、係合本体５１と一体に弾性材料により作成され、両端がそれぞれ操作アーム５１３と係合アーム５１４とに接続されていると共に、円弧状に形成されて該円弧状の部分が当接板４２６に当接することができる円弧状弾性ユニット５２３を有するように構成されている。
【００３８】
操作アーム５１３を当接板４２６へ押圧すると、図１３に示されるように、円弧状弾性ユニット５２３の中央部分が操作アーム５１３側へ凹下する波状になって付勢されて係合手段５の係合プレート２７との係合が解除される。そして、該押圧が解除されると、円弧状弾性ユニット５２３の付勢力により係合手段５が図１２の状態に戻ることができる。
【００３９】
その他の構成及び操作方法は、上記の第１の実施形態に類似しているので、詳しい説明を省略する。
【００４０】
（第３の実施形態）
図１４は本考案の電子部品格納用ケースの第３の実施形態の係合手段５を示す部分断面図であり、図１５は上記の電子部品格納用ケースの第３の実施形態において、係合手段５の係合プレート２７との係合を解除する時の係合手段５の操作を示す部分断面図である。
【００４１】
本考案の第３の実施形態の電子部品格納用ケースは、図１４及び図１５に示されるように、部品保持座４の右側壁４２の壁本体４２１には、壁本体４２１における第１の係止部２７２及び第２の係止部２７３に対して、より後方の位置から壁本体４２１と略直交するように張り出すように形成されている当接板４２６と、回動軸５１１の一端を受け入れることができると共に当接板４２６側から前方へ延伸するように開けられている第１の設置孔４２９（図１４、図１５では図示せず）と、当接板４２６の先端に、第１の設置孔４２９と平行に延伸するように開けられている第２の設置孔４３１と、当接板４２６と略直交し且つ当接板４２６から係合手段５側へ延伸する設置板４２８と、が形成されている。
【００４２】
係合手段５は、制限部５１２が形成されずに、回動軸５１１の両端がそれぞれ摺動自在に第１の設置孔４２９と第２の設置孔４３１に嵌め込まれるように配置構成されている。係合手段５を当接板４２６に押圧すると、図１５に示されるように、付勢部５２が付勢され、係合手段５の係合部５１５が係合プレート２７から離れて、部品保持座４が回動可能になる。そして、係合手段５に対する押圧を解除すると、図１４に示されるように、係合部５１５が付勢部５２の付勢力により、係合プレート２７に係合する。
【００４３】
ちなみに、この第３の実施形態の電子部品格納用ケースに用いる付勢部５２は、圧縮コイルばねまたはねじりばねにより構成することも可能である。
【００４４】
その他の構成は、上記の第２の実施形態に類似しているので、詳しい説明を省略する。
【００４５】
（第４の実施形態）
図１６は本考案の電子部品格納用ケースの第４の実施形態の部分部品分解図であり、図１７は上記の電子部品格納用ケースの第４の実施形態の係合手段５を示す部分断面図であり、図１８は上記の電子部品格納用ケースの第４の実施形態において、係合手段５の係合プレート２７との係合を解除する時の係合手段５の操作を示す部分断面図である。
【００４６】
本考案の第４の実施形態の電子部品格納用ケースは、図１６、図１７及び図１８に示されるように、付勢部５２は、一端である固定端部５２９が係合アーム５１４に開けられた挿入孔５２０に挿入して固定され、他端である当接端部５３０が当接板４２６に当接するように回動軸５１１に環装されているねじりばね５２４である。
【００４７】
操作アーム５１３を当接板４２６へ押圧すると、図１８に示されるように、ねじりばね５２４の固定端部５２９が操作アーム５１３に近づくように押されてねじりばね５２４が付勢されて係合手段５の係合プレート２７との係合が解除される。そして、該押圧が解除されると、ねじりばね５２４の付勢力により係合手段５が図１７の状態に戻ることができる。
【００４８】
その他の構成及び操作方法は、上記の第１の実施形態に類似しているので、詳しい説明を省略する。
【００４９】
（第５の実施形態）
図１９は本考案の電子部品格納用ケースの第５の実施形態の部分部品分解図であり、図２０は上記の電子部品格納用ケースの第５の実施形態の係合手段５を示す部分断面図であり、図２１は上記の電子部品格納用ケースの第５の実施形態において、係合手段５の係合プレート２７との係合を解除する時の係合手段５の操作を示す部分断面図である。
【００５０】
本考案の第５の実施形態の電子部品格納用ケースは、図１９、図２０及び図２１に示されるように、付勢部５２は、一端が係合本体５１の当接板４２６に面する表面に形成されている２つの突起５３１の間に挟まれるように設置され、他端が当接板４２６に当接するように設置されている圧縮コイルばね５２５である。
【００５１】
操作アーム５１３を当接板４２６へ押圧すると、図２１に示されるように、圧縮コイルばね５２５が圧縮されて付勢されて係合手段５の係合プレート２７との係合が解除される。そして、該押圧を解除すると、圧縮コイルばね５２５の付勢力により係合手段５が図２０の状態に戻ることができる。
【００５２】
その他の構成及び操作方法は、上記の第１の実施形態に類似しているので、詳しい説明を省略する。
【産業上の利用可能性】
【００５３】
本考案の電子部品格納用ケースは、各電子製品に適用でき、特に、コンピューターのケースに使用することに好適である。
【符号の説明】
【００５４】
１    電子部品
２    筐体
４    部品保持座
５    係合手段
２１    底板部
２２    前板部
２２０    切込み
２３    右板部
２４    左板部
２５    後板部
２６    第１の後枢設部
２６１    後枢設孔
２７    係合プレート
２７１    ベース板部
２７２    第１の係止部
２７２１    サポートリブ
２７３    第２の係止部
２７４    収容孔
２７５    係止凹部
２７６    開口
２７７    係合タブ
２８    第１の前枢設部
２８１    前枢設孔
４１    底部
４２    右側壁
４３    左側壁
４４    頂部
４２１    壁本体
４２２    第２の前枢設部
４２３    第２の後枢設部
４２４    前枢設突起
４２５    後枢設突起
４２６    当接板
４２７    接続板
４２８    設置板
４２９    第１の設置孔
４３０    収容凹部
４３１    第２の設置孔
５１    係合本体
５１１    回動軸
５１２    制限部
５１３    操作アーム
５１４    係合アーム
５１５    係合部
５１６    フック部
５１７    案内突起
５１８    案内斜面
５２    付勢部
５２０    挿入孔
５２１    第１の弾性プレート
５２２    第２の弾性プレート
５２３    円弧状弾性ユニット
５２４    ねじりばね
５２５    圧縮コイルばね
５２９    固定端部
５３０    当接端部
５３１    突起
【図１】
0003202123.tif 000003
【図２】
0003202123.tif 000004
【図３】
0003202123.tif 000005
【図４】
0003202123.tif 000006
【図５】
0003202123.tif 000007
【図６】
0003202123.tif 000008
【図７】
0003202123.tif 000009
【図８】
0003202123.tif 000010
【図９】
0003202123.tif 000011
【図１０】
0003202123.tif 000012
【図１１】
0003202123.tif 000013
【図１２】
0003202123.tif 000014
【図１３】
0003202123.tif 000015
【図１４】
0003202123.tif 000016
【図１５】
0003202123.tif 000017
【図１６】
0003202123.tif 000018
【図１７】
0003202123.tif 000019
【図１８】
0003202123.tif 000020
【図１９】
0003202123.tif 000021
【図２０】
0003202123.tif 000022
【図２１】
0003202123.tif 000023